(57)【要約】      （修正有）【課題】便利で迅速な充電作業を実現できる充電ジョイントを提供する。【解決手段】充電ジョイントＡ１はケース体１、少なくとも１個の磁性ユニット２、２個の金属連結部材３、及び回路基板を有する。ケース体１は接触面１１を有し、磁性ユニット２と回路基板とはケース体１内に取り付けられ、磁性ユニット２の取り付け位置はケース体１内とし、しかも接触面１１に密着する。２個の金属連結部材３の局部セクションは延伸し、ケース体１外に出て、しかも接触面１１に突出し、他のセクションはケース体１内に位置し、回路基板と相互に電気的に連接する。これにより電子デバイスに充電作業を行うなら、磁性ユニット２により吸着して固定し、金属連結部材３が接触して給電し、便利で迅速な充電作業を実現できる。【選択図】図１
0003204474.tif 000002
【実用新案登録請求の範囲】
【請求項１】
充電ジョイントであって、ケース体、少なくとも１個の磁性ユニット、２個の金属連結部材、及び回路基板を有し、
前記ケース体は、接触面を有し、前記磁性ユニットと回路基板は、前記ケース体内に取り付けられ、しかも前記磁性ユニットを前記ケース体内に取り付ける位置は、前記接触面に密着する位置で、
２個の前記金属連結部材の局部セクションは延伸し、前記ケース体の外に出て、しかも前記接触面に突出し、他のセクションは前記ケース体内に位置し、前記回路基板と相互に電気的に連接することを特徴とする充電ジョイント。
【請求項２】
前記充電ジョイントは、コネクターをさらに有し、
前記コネクターは、前記回路基板と電気的に連接することを特徴とする請求項１に記載の充電ジョイント。
【請求項３】
前記接触面の中心エリアには、硬質の定位部材をさらに有し、
前記定位部材の中心には、２個の孔を形成し、しかも周囲には、外へと突出した定位リングを形成し、
前記孔により、前記金属連結部材は前記ケース体内から外へと延伸し、前記定位リングは、前記接触面に突出することを特徴とする請求項１に記載の充電ジョイント。
【請求項４】
前記ケース体は、カバー片、第一ケース壁、第二ケース壁を有し、
前記ケース体は、前記第一ケース壁と前記第二ケース壁とが対応して合わさり構成され、形状は長方形の箱体で、
前記第一ケース壁は、平坦な壁面を有し、前記壁面には、少なくとも１個の収容設置孔及び２個の針孔を形成し、
前記収容設置孔には、磁性ユニットを設置し、
前記壁面には、前記カバー片を貼付し、前記カバー片は、柔軟な材料により構成し、前記カバー片の露出表面が、前記接触面であることを特徴とする請求項１に記載の充電ジョイント。
【考案の詳細な説明】
【技術分野】
【０００１】
本考案は充電ジョイントに関し、特に連接コードによる結合を経なくとも、電子デバイスとの間の迅速な対応接続固定及び給電を提供できる設計である充電ジョイントに関する。
【背景技術】
【０００２】
テクノロジーの発達に従い、現代人の生活において、携帯電話はなくてはならないものになっている。さらに、さまざまなアプリケーションソフトが加わることで、携帯電話は人と人との連絡ツールであるだけでなく、携帯型のメディアプレーヤー、ゲーム機、ＧＰＳ等の機能を備えるようになっている。携帯電話の付属機能を用いる回数の増加につれて、電力消費速度も速くなり、充電頻度も拡大している。
【０００３】
現在の電子製品の充電方式の多くは、有線連結方式により相互に連結し、コネクターを主な接続ツールとしている。しかし、このように繰り返し抜き差しする過程において、使用者は利便性の不足を感じている。
【考案の概要】
【考案が解決しようとする課題】
【０００４】
本考案の主要な目的は、磁力を利用し、二つのデバイスを相互に吸引して固定し、複数の金属連結部材を電力伝送の媒介とし、これにより二つのデバイスは迅速に定位及び電性接触され充電が行え、使用者のニーズに応えることができる便利な対応接続の方式である充電ジョイントに関する。
【課題を解決するための手段】
【０００５】
上述の目的を達成するため、本考案による充電ジョイントは、ケース体、少なくとも１個の磁性ユニット、２個の金属連結部材、及び回路基板を有する。
該ケース体は、接触面を有する。
該磁性ユニットと該回路基板とは、該ケース体内に取り付けられる。
該磁性ユニットの取り付け位置は、該ケース体内とし、しかも該接触面に密着する。
２個の該金属連結部材の局部セクションは延伸し、該ケース体外に出て、しかも該接触面に突出し、他のセクションは、該ケース体内に位置し、該回路基板と相互に電気的に連接する。
これにより、他のデバイスとの対応接続による充電作業を提供し、充電後は迅速に分離することができる。
【考案の効果】
【０００６】
本考案充電ジョイントは、充電作業の連接インターフェースとし、連接インターフェースを通して、充電しようとするデバイスと迅速に対応接続して充電作業を行い、充電後は簡単に分離でき、使用者が求める利便性を提供することができ、またさまざまな固定デバイス或いは吸盤サポートデバイスに対応し、さまざまな環境下で、充電しようとする他のデバイスと対応接続して使用することができる。
【図面の簡単な説明】
【０００７】
【図１】本考案第一実施形態の立体図である。
【図２】本考案第一実施形態の分解図である。
【図３】本考案第一実施形態の別の角度の立体図である。
【図４】本考案第一実施形態の実際使用の模式図である。
【図５】本考案第二実施形態の立体図である。
【図６】本考案第二実施形態の実際使用の模式図である。
【考案を実施するための形態】
【０００８】
以下に本考案の技術内容、構造特徴、達成する目的及び作用効果について、以下に例を挙げ並びに図面を組み合わせて詳細に説明する。
【０００９】
本考案第一実施形態の立体図である図１に示す通り、本考案充電ジョイントＡ１は、充電作業の連接インターフェースとし、連接インターフェースを通して、充電しようとするデバイスと迅速に対応接続し、充電作業を行い、充電後は簡単に分離でき、使用者が求める利便性を提供することができる。充電ジョイントＡ１は、またさまざまな固定デバイス或いは吸盤サポートデバイスに対応し、さまざまな環境下で、充電しようとする他のデバイスと対応接続して使用することができる。
【００１０】
図１及び図２に示す通り、本考案充電ジョイントＡ１は、ケース体１、少なくとも１個の磁性ユニット２、２個の金属連結部材３、及び回路基板４を有する。
ケース体１は、接触面１１を有する。磁性ユニット２と回路基板４とは、ケース体１内に取り付けられ、磁性ユニット２の取り付け位置は、ケース体１内とし、しかも接触面１１に密着する。２個の金属連結部材３の局部セクションは、ケース体１の接触面１１に突出し、他のセクションは、ケース体１内に位置し、回路基板４と相互に電気的に連接する。ケース体１位置には、コネクター５を別に取り付ける。コネクター５も、回路基板４と相互に電気的に連接し、コネクター５により、外部電源と連接し、充電時に必要な電力を提供する。
【００１１】
ケース体１は中空ハウジングで、各構成部材を内部に取り付けられ、その形状には特別な制限はないが、平坦な接触面１１が必要で、これにより充電しようとするデバイスは、接触面１１に接触及び固定することができる。本実施形態では、ケース体１は、カバー片１２、第一ケース壁１３、第二ケース壁１４を有する。
ケース体１は、第一ケース壁１３と第二ケース壁１４とが対応して合わさり構成され、形状は長方形の箱体である。第一ケース壁１３は、平坦な壁面１３１を有し、壁面１３１には、少なくとも１個の収容設置孔１３２及び２個の針孔１３３を形成する。収容設置孔１３２には、磁性ユニット２を設置する。本実施形態中では、磁性ユニット２は、磁石である。
壁面１３１には、カバー片１２を密着させ、カバー片１２は、柔軟な材料により構成する。カバー片１２の露出表面が、接触面１１である。
ケース体１内には、保持片１５を有する。保持片１５は、十字状を呈し、中央には開口を設置する。保持片１５は、磁性ユニット２に対応する位置に取り付けられ、粘着結合方式で磁性ユニット２を固定する。上記した構造により、磁性ユニット２はケース体１の接触面１１に密着する。
【００１２】
カバー片１２の中心エリアには、硬質の定位部材１２１を有する。定位部材１２１の中心には、２個の孔１２２を形成し、しかも周囲には、外へと突出した定位リング１２３を形成する。孔１２２には、金属連結部材３を貫通させ、定位リング１２３は、対応接続時の案内定位用に用いる。定位部材１２１とカバー片１２はともに、壁面１３１に密着し、定位リング１２３は、接触面１１に突出する。
【００１３】
金属連結部材３は、金属端子で、電力の伝送に用いる。金属連結部材３は、両端を有し、一端は第一ケース壁１３の針孔１３３及びカバー片１２の孔１２２を通過して、接触面１１に突出し、もう一端は延伸し、回路基板４位置に固定し、電気的に連接する。回路基板４は、コントロール回路（図示なし）を有し、充電作業の維持或いは制御を担う。
本実施形態中では、コネクター５は回路基板４と固定し、第二ケース壁１４の相対位置には、挿入孔１４１を有する。挿入孔１４１は、コネクター５の位置に対応する。
実施においては、外付けの連接コードを利用し、外部の主要供給電源と連接し、回路基板４により金属連結部材３に対応し充電時の電力出力を行う。
【００１４】
本考案充電ジョイントＡ１は、新しい充電連接インターフェースを提供し、充電しようとするデバイスと結合する。実際の操作環境中では、異なるサポートデバイス位置に取り付ける。
図４に示す通り、本実施形態では、充電ジョイントＡ１は、吸盤サポートデバイス６に取り付けられる。吸盤サポートデバイス６は、吸盤ユニット６１、及び調節式サポートアーム６２を有する。調節式サポートアーム６２は、係合ブロック６３をさらに有する。
図３に示す通り、ケース体１の第二ケース壁１４の背面部には、対応接続槽１４２をさらに形成する。対応接続槽１４２の形状は、係合ブロック６３と相互に対応する。
すなわち、ケース体１の対応接続槽１４２の構造及び形状は、対応させようとする係合ブロック６３に応じて決まり、特定の形状或いは構造に限定されることはない。
【００１５】
実際の充電作業では、連接コード７を使用する。連接コード７一端は、充電ジョイントＡ１のコネクター５位置に挿入して設置され、もう一端は電源コンセント位置に連接され、電源コンセントにより充電過程で必要な電力を提供する。
本実施形態では、充電しようとするデバイスは携帯電話８で、充電ジョイントＡ１に対応する專用型である。よって、携帯電話８は、金属材質のバックケース８１を有する。バックケース８１の中央エリアには、陥没した電極槽８２をさらに有する。電極槽８２は、第一電極８２１及び第二電極８２２を有する。第一電極８２１及び第二電極８２２は、接触しない。携帯電話８内部には、関連配線を有し、第一電極８２１及び第二電極８２２と電気的に連接する。
電極槽８２の形状は、充電ジョイントＡ１の定位リング１２３の形状に対応する。
充電を行う際には、携帯電話８を充電ジョイントＡ１に近づけ、磁性ユニット２の磁力により、金属製のバックケース８１に吸着させ、定位リング１２３は電極槽８２内に係合される。２個の金属連結部材３は、相互に対応する第一電極８２１及び第二電極８２２とそれぞれ接触し、こうして充電作業を行うことができる。充電完成後、外力を提供し、磁性ユニット２の磁力を克服すれば、携帯電話８を簡単に取り外すことができる。こうして、使用者は便利に充電作業を行うことができる。
【００１６】
本考案の第二実施形態の立体図及び側視図である図５及び図６に示す通り、本実施形態では、充電ジョイントＡ１の主要構造は、第一実施形態と同じであるが、ケース体１後端の構造が異なる。
本実施形態では、充電ジョイントＡ１は球状枢接構造１６と一組の冷気吹き出し口クリップ１７をさらに有する。球状枢接構造１６は、第二ケース壁１４と冷気吹き出し口クリップ１７との間に連接し、これにより充電ジョイントＡ１が調整可能な角度はより多くなる。
これにより本実施形態は、冷気吹き出し口クリップ１７を利用し、車内の冷気吹き出し口Ｂ内の隔板位置に挟んで固定する。球状枢接構造１６により、充電ジョイントＡ１の位置を調整し、車内に便利な充電プラットフォームを提供することができる。
また、本実施形態中では、対応する使用する電子製品は、保護カバー９１と携帯電話９２を有する。携帯電話は、一般の型式で專用型ではない。保護カバー９１は、金属バックケースと電極槽を有し、内部には、配線、コネクターを設置し、携帯電話と連接する。保護カバー９１は通常、携帯電話９２と直接結合される。充電時には、保護カバー９１により充電ジョイントＡ１に直接接触され、便利な方式で充電作業を完成させられる。
本実施形態から分かるように、本考案の充電ジョイントＡ１の背面部の連結構造は特定の型式に限定されず、製品に応じて変えることができる。
【００１７】
上記を総合すると、本考案が提供する充電ジョイントは、磁性ユニットにより磁力を提供し迅速な対応接続及び固定が可能で、２個の金属連結部材により電性接触と電力伝送を達成することで、充電作業をさらに便利にすることができる。
【００１８】
以上は本考案の好ましい実施例の説明に過ぎず、並びに本考案を限定するものではなく、本考案に提示の精神より逸脱せずに完成されるその他の同等の効果の修飾或いは置換は、いずれも本考案の権利請求範囲内に属する。
【符号の説明】
【００１９】
Ａ１  充電ジョイント
１  ケース体
１１  接触面
１２  カバー片
１２１  定位部材
１２２  孔
１２３  定位リング
１３  第一ケース壁
１３１  壁面
１３２  収容設置孔
１３３  針孔
１４  第二ケース壁
１４１  挿入孔
１４２  対応接続槽
１６  球状枢接構造
１７  冷気吹き出し口クリップ
２  磁性ユニット
３  金属連結部材
４  回路基板
５  コネクター
６  吸盤サポートデバイス
６１  吸盤ユニット
６２  調節式サポートアーム
７  連接コード
８  携帯電話
８１  バックケース
８２  電極槽
８２１  第一電極
８２２  第二電極
９１  保護カバー
９２  携帯電話
Ｂ  車内の冷気吹き出し口
【図１】
0003204474.tif 000003
【図２】
0003204474.tif 000004
【図３】
0003204474.tif 000005
【図４】
0003204474.tif 000006
【図５】
0003204474.tif 000007
【図６】
0003204474.tif 000008